(57)【要約】【課題】屈折率が周期的に変化する周期構造（フォトニックバンド構造）を、簡単な構成で制御することを可能とする周期構造を有する光学素子、該光学素子を有するミラー、光偏向器、および光学素子の制御方法を提供する。【解決手段】屈折率が周期的に分布する周期構造と、外部からの作用によって機械的に変形する変形部とを有し、該変形部が、該周期構造の周期方向に沿って該周期構造と一体的に、かつ該周期構造の周期方向に変形することによって該周期構造の周期性を変化させるように構成されることを特徴とする光学素子。屈折率が周期的に変化する周期構造（フォトニックバンド構造）の周期性を簡単な構成で制御できる。【選択図】　　　　　　図１
2004145314.tif 000002
【特許請求の範囲】
【請求項１】
　入射光を反射または透過させる光学素子であって、該光学素子は、屈折率が周期的に分布する周期構造と、外部からの作用によって変形する変形部とを有し、該変形部が、該周期構造の周期方向に沿って該周期構造と一体的に配置され、かつ該周期構造の周期方向に変形することによって該周期構造の周期性を変化させるように構成されることを特徴とする光学素子。
【請求項２】
　前記周期性の変化が、前記周期構造の周期、位相、デューティ、方位のいずれかまたはそれらの複合の変化である請求項１に記載の光学素子。
【請求項３】
　前記変形部は、該光学素子の光の反射または透過経路の外部に位置する請求項１に記載の光学素子。
【請求項４】
　前記変形部が、前記周期構造に一体的に接合された部材を含み、該部材が該周期構造と接合する面に平行な方向に変形する請求項１に記載の光学素子。
【請求項５】
　前記変形部が、前記周期構造を支持する部材を含み、該部材が該周期構造を支持する面に平行な方向に変形する請求項１に記載の光学素子。
【請求項６】
　前記周期構造を支持する部材が、前記周期構造を構成する部材と同一の部材である請求項５に記載の光学素子。
【請求項７】
　前記変形部は、少なくとも一方向に伸縮することを特徴とする請求項１に記載の光学素子。
【請求項８】
　前記変形部は、少なくとも一方向にずり変形することを特徴とする請求項１に記載の光学素子。
【請求項９】
　前記変形部は、圧電素子で構成されていることを特徴とする請求項１に記載の光学素子。
【請求項１０】
　前記変形部が１対の電極を含み、該１対の電極は前記周期構造の周期方向に略平行な電界を該変形部に与えるように配置されている請求項９に記載の光学素子。
【請求項１１】
　前記変形部が１対の電極を含み、該１対の電極は前記周期構造の周期方向に略直交する電界を該変形部に与えるように配置されている請求項９に記載の光学素子。
【請求項１２】
　前記周期構造が多次元のフォトニック結晶である請求項１に記載の光学素子。
【請求項１３】
　前記周期構造は、二次元のフォトニック結晶であり、二次元の周期性を有する部分と、二次元の周期性を有する部分を支持する支持部で構成されていることを特徴とする請求項１２に記載の光学素子。
【請求項１４】
　前記周期構造は、二次元のフォトニック結晶であり、二次元の周期性を有する部分だけで構成されていることを特徴とする請求項１２に記載の光学素子。
【請求項１５】
　請求項１に記載の光学素子と、該光学素子の前記変形部に外力を与えて光の反射と透過を切り替える手段とを有するミラー。
【請求項１６】
　請求項１に記載の光学素子と、該光学素子の前記変形部に周期的外力を与えて光の透過方向を切り替える手段とを有する光偏向器。
【請求項１７】
　屈折率が周期的に分布する周期構造を有する光学素子の制御方法であって、外部からの作用によって変形する変形部を、該周期構造の周期方向に沿って該周期構造と一体的に配置し、該周期構造の周期方向に変形させることによって、該周期構造の周期性を変化させることを特徴とする光学素子の制御方法。
【発明の詳細な説明】
【技術分野】
【０００１】
　本発明は、周期構造を有する光学素子に関し、詳しくは屈折率が周期的に変化する多次元の周期構造の周期性を制御する手段を有する光学素子、該光学素子を有するミラー、光偏向器、および光学素子の制御方法に関する。
【背景技術】
【０００２】
　近年、屈折率の異なる物質を波長程度の間隔で周期的に配列した「フォトニック結晶」と呼ばれる新しい人工結晶が提案され、注目を集めている（Ｅ．Ｙａｂｌｏｎｏｖｉｔｃｈ，Ｐｈｙｓ．Ｒｅｖ．Ｌｅｔｔ．，５８（１９８７）２０５９−２０６２）。この人工結晶は、半導体のバンド構造に類似した、いわゆるフォトニックバンド構造に起因する光の禁制帯（フォトニックバンドギャップ）を有し、さらに見かけ上の屈折率異常に起因する特異な効果を有することから、光学素子としての研究開発が盛んに行われている（特許文献１参照）。
このような背景により、フォトニックバンド構造を制御するため、人工結晶の周期性を正確に制御する技術の重要性が高まっている。
【０００３】
　従来において、このような技術に関して、ファイバ回折格子の周囲にアクチュエータを配置し、これを伸縮して、ファイバに張力を与えることにより、ファイバ内の屈折率分布を制御する方法が提案されている（特許文献２参照）。
また、結晶中に、屈折率や透過率が外部制御可能な物質（例えば圧電素子）を導入し、その物質の伸縮や特性変化によって結晶の周期性を乱す方法が提案されている（特許文献３参照）。
また、フォトニック結晶に外部より圧力を加え、格子間隔を制御する方法が提案されている（特許文献４参照）。
【特許文献１】特開２０００−０６６００２号公報
【特許文献２】特開平１０−２５３８２９号公報
【特許文献３】特開２００１−０９１９１１号公報
【特許文献４】国際公開番号　ＷＯ０２／２７３８４
【発明の開示】
【発明が解決しようとする課題】
【０００４】
　しかしながら、これらの従来技術はつぎのような課題を有している。
光ファイバを伸縮させる方法は、光の入射方向に並ぶ一次元の周期構造を変化させるので、伸縮力を発生する部材、例えば圧電体など、以外に、その力をファイバに伝えるための伝達部材が必要で、これらの伝達部材の材質、配置、接続状態などによって格子間隔の制御精度が左右されるという問題がある。
また、前述したような見かけ上の屈折率異常は二次元以上の周期構造で現れるが、伝達部材を介して２以上の方向に力を加えるにはさらに装置が複雑化する。
フォトニック結晶中に、結晶構造を乱す手段を作り込む方法においては、作製時に多くの作業工程が必要で煩雑さが増し、使用可能な材料にも制限が大きいという難点がある。
また、フォトニック結晶に外部より圧力を印加することで結晶構造を変化させる方式では、フォトニック結晶に圧力を印加するために、図８に示すように、支持部材６０１でフォトニック結晶６０２と圧電素子６０３を囲うように支持する必要がある。そのため、装置構成が大きくなる。
【０００５】
　そこで、本発明は、上記課題を解決し、屈折率が周期的に変化する周期構造（フォトニックバンド構造）を、簡単な構成で制御することを可能とする周期構造を有する光学素子、該光学素子を有するミラー、光偏向器、および光学素子の制御方法を提供することを目的とするものである。
【課題を解決するための手段】
【０００６】
　本発明は、つぎのように構成した周期構造を有する光学素子、該光学素子を有するミラー、光偏向器、および光学素子の制御方法を提供するものである。
まず、本発明の光学素子は、屈折率が周期的に分布する周期構造と、外部からの作用によって機械的に変形する変形部とを有し、該変形部が、該周期構造の周期方向に沿って該周期構造と一体化され、該周期構造の周期方向に変形することによって該周期構造の周期性を変化させるように構成されることを特徴とする。
前記周期性の変化は、周期、位相、デューティ、方位のいずれかまたはそれらの複合の変化である。
また、本発明の光学素子は、外部から入射する特定の波長域または特定の入射角範囲の光を反射し、それ以外の光を透過させる性質がある。
本発明の光学素子は、前記の変形部を、これら反射または透過する光の経路の外部に配置することができ、したがってその伝播を妨げない。
前記変形部は、好ましくは前記周期構造に一体的に接合されるかもしくは同一部材であり、周期構造を支持すると同時に、周期構造との接合面または境界面に平行な方向に変形する。
また、本発明の光学素子は、変形部に電気的、機械的その他の外力を与えて変形部を機械変形させるが、それによって前記光の反射と透過についての性質が変化することを利用して、反射方向が可変のミラーや、入射方向に対する出射方向の角度を変化させる光偏向器に応用できる。
また、本発明の光学素子の制御方法は、屈折率が周期的に分布する周期構造を有する光学素子の制御方法であって、外部からの作用によって機械的に変形する変形部を、該周期構造の周期方向に沿って該周期構造と一体的に配置し、該周期構造の周期方向に変形させることによって、該周期構造の周期性を変化させることを特徴とする。
【発明の効果】
【０００７】
　本発明によれば、屈折率が周期的に変化する周期構造（フォトニックバンド構造）を、簡単な構成で制御することを可能とする周期構造を有する光学素子、該光学素子を有するミラー、光偏向器、および光学素子の制御方法を実現することができる。
【発明を実施するための最良の形態】
【０００８】
　本発明の実施の形態について、図面を参照して説明する。なお、以下の図の説明において、実施例での説明も含めて、図中、同一部に関しては同一符号を用いる。
図１は本発明の第１の実施の形態を説明するための光学素子の素子構成を示す図である。
図１に示すように、本実施の形態の光学素子は、フォトニック結晶（以下ＰＣと記す）１０１と、基板１０２とで構成される。ＰＣ１０１は、屈折率が周期的に変化する多次元の周期構造を有している。この多次元の周期構造である結晶構造は、光の伝播を抑制するフォトニックバンド構造をもてばよく、特に制限はない。
ＰＣ１０１の作製方法は、リソグラフィ技術やエッチング技術、オパール法のような自己形成方法やマイクロマシーニング技術等、従来報告されている既存の方法でよく、特に制限はない。基板１０２は外部より印加されるエネルギーによって、その形状が変化する物質で構成される。ＰＣ１０１を作製後、ＰＣ１０１を基板１０２に密着させることで光学素子を得る。
【０００９】
　以上のように、本実施の形態の光学素子は、基板１０２上にＰＣ１０１が一体化した状態で構成される。そのため、外部より印加されるエネルギーによって基板１０２が変形（機械的変形）すると、それに追従してＰＣ１０１の形状も基板１０２と一体的に変形する。すなわち、ここでは基板１０２が周期構造を機械変形させる変形部であり、基板自身が変形することによりそれと一体的に周期構造の周期性を変化させる。
このように基板の機械的変形と一体的にＰＣ１０１の形状を変形させることにより、結晶構造（多次元の周期構造）の格子形状や格子間隔を変えることが可能となる。ここで、格子形状や格子間隔を変えるとは、格子の間隔すなわち周期そのものを変えるだけではなく、個々の格子の形状を変形させる場合も含むものである。格子形状の変化は、周期構造の位相を変えたり、１周期内の屈折率分布すなわちデューティを変えることを含む。以下に説明するように、ずり変形を与えることで格子の方位を変えることもできる。
【００１０】
　ＰＣ１０１の一端に入射する光は、周波数が禁制帯にあるときは反射され、禁制帯の外にある場合は周期構造に沿って進む。屈折率異常のない限りそのままもう一方のＰＣ端から出射され、屈折率異常があると進行方向が変化するが、光の伝播経路は同じ周期構造の面内にある。いずれの場合も、変形部（基板１０２）はこの場合２次元の周期構造の面の外部にあるので伝播経路を妨げることはない。したがって透明部材である必要もなく、また圧電体で構成する場合の電極材も透明である必要がない。
【００１１】
　フォトニックバンド構造に対応する光の周波数は、上記格子形状や格子間隔で求められるため、このようにＰＣ１０１の形状を変化させることによって、格子形状や格子間隔を変えることができ、それにより周波数特性を制御することが可能になる。図９（ａ）−（ｅ）は、本実施形態でのＰＣ１０１の周期構造の変形例である。図９（ａ）−（ｅ）は、図１の光学素子の平面図で、平面内の２次元屈折率周期構造を示し、正方格子状に配列した円柱の内部の屈折率が、周囲の屈折率と異なっている。光は図の左方向からＰＣ１０１に入射するものとする。図９（ａ）は変形のない状態、（ｂ）はｘ方向に伸びた状態、（ｃ）はｙ方向に縮んだ状態、（ｄ）はｘ方向にずり変形が生じた状態、（ｅ）はｙ方向にずり変形が生じた状態である。（ｂ）と（ｃ）ではそれぞれｘ方向とｙ方向の格子間隔すなわち周期が変化し、（ｄ）と（ｅ）では格子形状が、正方格子から斜方格子に変化する。同時に、円柱の断面も楕円形に変形するので、格子間隔や格子形状だけでなく、１周期内の屈折率分布（すなわちデューティ）も変化する。これらの周期性の変化は、フォトニックバンドの構造を変え、その結果、入射光の反射、屈折などの光学特性およびその周波数特性を変化させる。本発明のフォトニック結晶の周期性の変化は、上に述べた格子間隔、格子形状、屈折率分布それぞれが単独で変化するものであってもよく、組み合わされて生じてもよい。
【００１２】
　このように、本実施の形態における光学素子は、外部からの作用、具体的には外部より印加される機械的力や電界などのエネルギーによって結晶の格子形状や格子間隔を制御し、所望のフォトニックバンド構造を有する素子を簡易な構成で提供することができる。その際、本実施の形態によると、外部より印加されるエネルギーによって変形可能な基板上に、既存のフォトニック結晶を固定するという単純な素子構成で実現可能であるため、コンパクトな装置構成を得ることができる。また、フォトニック結晶の形状、材料の選択性に自由度が大きく、コンパクトな構成でフォトニックバンド構造の調整が可能になる。また、これらの調整作業は外部より印加されるエネルギーによって、基板自身が動作するため、素子の応答速度を速くすることが可能となる。
【００１３】
　つぎに、本発明の第２の実施の形態について説明する。
図２は本発明の第２の実施の形態を説明するための光学素子の素子構成を示す図である。
図２に示すように、本実施の形態の光学素子は、フォトニック結晶部（以下ＰＣ部と記す）２０１と支持部２０２で構成される。ＰＣ２０１は、屈折率が周期的に変化する多次元の周期構造を有している。この多次元の周期構造である結晶構造は、光の伝播を抑制するフォトニックバンド構造をもてばよく、特に制限はない。
【００１４】
　ＰＣ部２０１は、外部より印加されるエネルギーによって、その形状が変形する材料の中に作り込まれている。ＰＣ部２０１の作製方法は、リソグラフィ技術やエッチング技術等、従来報告されている既存の方法でよく、特に制限はない。これらの作製技術を用いて、上記したような外部より印加されるエネルギーによって形状が変形する材料の一部を加工する。非加工部を支持部２０２として、ＰＣ部２０１と一体化した状態の光学素子を得る。
【００１５】
　以上のように、本実施の形態の光学素子は、ＰＣ部２０１と支持部２０２が一体化された状態で構成される。そのため、外部より印加されるエネルギーによって支持部２０２が変形すると、それに追従してＰＣ部２０１の形状も変化する。このとき支持部２０２は、本発明の第１の実施の形態と同じくＰＣ部との境界面方向に平行な方向に変形する。
第１の実施の形態で説明したように、フォトニックバンド構造に対応する光の周波数は、上記格子形状や格子間隔で求められるため、このようにＰＣ部２０１の形状を変化させることによって、格子形状や格子間隔を変えることができ、それにより周波数特性を制御することが可能になる。
【００１６】
　このように、本実施の形態における光学素子は、外部より印加されるエネルギーによって、結晶の格子形状や格子間隔を制御し、所望のフォトニックバンド構造を有する素子を簡易な構成で提供することができる。その際、本実施の形態によると、屈折率が周期的に変化する部を屈折率が周期的に変化する部を支持する支持部上に一体化して作製されるため、コンパクトな装置構成を得ることができる。また、コンパクトな構成でフォトニックバンド構造の調整が可能になる。また、この光学素子は同一の材料で作製されるため、安価に作製できる。また、これらの調整作業は外部より印加されるエネルギーによって、光学素子自身が動作するため、素子の応答速度を速くすることが可能となる。
【００１７】
　本発明によれば、屈折率が周期的に変化する周期構造（フォトニックバンド構造）を、簡単な構成で制御することを可能とする周期構造制御方法、周期構造制御手段を有する光学素子を実現することができる。
【実施例】
【００１８】
　以下に本発明の実施例について説明する。
［実施例１］
　実施例１においては、本実施例における光学素子をミラーへ適用した構成例について説明する。図７は、本実施例における光学素子を適用したミラーの構成例を示す図である。図７において、１０１はＰＣ、１０２は基板、５０１は駆動ドライバである。
図３に、本発明の第１の実施の形態の構成を適用した本実施例のＰＣ１０１の具体的な構成を示す。
ここでは材料として屈折率１．４９のＰＭＭＡ（ポリメチルメタクリレート）を用いる。
【００１９】
　図３（ａ）に示すように、ＰＣ１０１については、ＥＢリソグラフィーを用いてハニカム構造を有する二次元ロッド型結晶を作製する。ただし、結晶構造についてはこれに限定されるものではない。
図３（ｂ）は、図３（ａ）中のＡＡ’の断面図である。図のように、ＰＣ１０１は周期的な屈折率変化を有するロッド部と、ロッドの支持部で構成されている。本実施例では、ＰＣ１０１の変形の及ぶ範囲を支持部に集中させ、ロッド部の格子間隔を効率よく変化させるように、支持部を十分薄く構成する。
【００２０】
　本実施例では、基板１０２として圧電素子を用いる。ＰＣ１０１を上述した方法で形成後、この基板１０２とＰＣ１０１を密着させて光学素子を得る。基板１０２は駆動ドライバ５０１から入力された電圧信号を受けて、ＰＣ１０１と基板１０２の接合面に対して面方向に伸縮する。ＰＣ１０１は、基板１０２と密着しているため、基板１０２の伸縮を受けて一体的にその形状を変化させることができる。
【００２１】
　この構成で、図７のようにＰＣ１０１と基板１０２の接合面に対して平行な方向より光を入射した状態で、駆動ドライバ５０１を用いて、基板１０２をＰＣ１０１との接合面に対して面方向に伸縮させ、入射光の波長を抑制するようにフォトニックバンド構造を調整したところ、効率よく入射光を反射できることを確認した。
【００２２】
　　［実施例２］
　実施例２においては、本実施例における光学素子をミラーへ適用した構成例について説明する。図７は、本実施例における光学素子を適用したミラーの構成例を示す図である。図７において、１０１はＰＣ、１０２は基板、５０１は駆動ドライバである。
図４に、本発明の第１の実施の形態を適用した本実施例のＰＣ１０１の具体的な構成を示す。
ここでは材料として屈折率１．４９のＰＭＭＡ（ポリメチルメタクリレート）を用いる。
【００２３】
　図４（ａ）に示すように、ＰＣ１０１については、ＥＢリソグラフィーを用いてハニカム構造を有する二次元ロッド型結晶を作製する。ただし、結晶構造についてはこれに限定されるものではない。図４（ｂ）は、図４（ａ）中のＢＢ’の断面図である。図のように、ＰＣ１０１は周期的な屈折率変化を有するロッド部が基板１０２上に孤立して存在している。
本実施例では、基板１０２として圧電素子を用いる。本実施例では基板１０２上にＰＭＭＡ膜を塗布後、上述した方法で、この基板１０２とＰＣ１０１が密着している状態の光学素子を得る。基板１０２は駆動ドライバ５０１から入力された電圧信号を受けて、ＰＣ１０１と基板１０２の接合面に対して面方向に伸縮する。ＰＣ１０１は、基板１０２と密着しているため、基板１０２の伸縮を受けて一体的にその形状を変化させることができる。
【００２４】
　この構成で、図７のようにＰＣ１０１と基板１０２の接合面に対して平行な方向より光を入射した状態で、駆動ドライバ５０１を用いて、基板１０２をＰＣ１０１との接合面に対して面方向に伸縮させ、入射光の波長を抑制するようにフォトニックバンドギャップ構造を調整したところ、効率よく入射光を反射できることを確認した。
【００２５】
　　［実施例３］
　実施例３においては、本実施例における光学素子をミラーへ適用した構成例について説明する。図７は、本実施例における光学素子を適用したミラーの構成例を示す図である。図７において、２０１はＰＣ部、２０２は支持部、５０１は駆動ドライバである。
図５に、本発明の第２の実施の形態を適用した本実施例のＰＣ２０１の具体的な構成を示す。本実施例は、ＰＣ２０１の周期構造の周期方向に略平行な電界を変形部すなわち支持部２０２に与えるように配置されている。
本実施例ではＰＣ部２０１、支持部２０２として圧電素子（ＰＬＺＴ　屈折率２．５）を用いる。
【００２６】
　図５（ａ）に示すように、ＰＣ部２０１はＥＢリソグラフィーを用いてハニカム構造を有する二次元ロッド型結晶を作製する。ただし、結晶構造についてはこれに限定されるものではない。図５（ｂ）は、図５（ａ）中のＡＡ’の断面図である。図のように、周期的な屈折率変化を有するロッド状のＰＣ部２０１と、支持部２０２で構成されている。
さらに、本実施例の光学素子には、ＰＣ部２０１と支持部２０２の境界面に対して、図５のように支持部２０２の左右端に電極３０１、３０２が作製される。支持部２０２は圧電素子で構成されているため、電極に電圧３０１、３０２を印加すると、支持部２０２を変形させることができる。本実施例では、支持部２０２は駆動ドライバ５０１から入力された電圧信号を受けて、ＰＣ部２０１と支持部２０２の境界面に対して面方向に伸縮する。ＰＣ部２０１は、支持部２０２と一体化しているため、支持部２０２の伸縮を受けてその形状を変化させることができる。
【００２７】
　この構成で、図７のようにＰＣ部２０１と支持部２０２の境界面に対して平行な方向より光を入射した状態で、駆動ドライバ５０１を用いて、支持部２０２をＰＣ部２０１との境界面に対して面方向に伸縮させ、入射光の波長を抑制するようにフォトニックバンド構造を調整したところ、効率よく入射光を反射できることを確認した。
【００２８】
　　［実施例４］
　実施例４においては、本実施例における光学素子をミラーへ適用した構成例について説明する。図７は、本実施例における光学素子を適用したミラーの構成例を示す図である。図７において、２０１はＰＣ、２０２は支持部、５０１は駆動ドライバである。
図６に、本発明の第２の実施の形態を適用した本実施例のＰＣ２０１の具体的な構成を示す。本実施例は、ＰＣ２０１の周期構造の周期方向に略直交する電界を変形部すなわち支持部２０２に与えるように配置されている。
本実施例ではＰＣ部２０１、支持部２０２として圧電素子（ＰＬＺＴ　屈折率２．５）を用いる。
【００２９】
　図６（ａ）に示すように、ＰＣ部２０１はＥＢリソグラフィーを用いてハニカム構造を有する二次元ロッド型結晶を作製する。ただし、結晶構造についてはこれに限定されるものではない。図６（ｂ）は、図６（ａ）中のＢＢ’の断面図である。図のように、周期的な屈折率変化を有するロッド状のＰＣ部２０１と、支持部２０２で構成されている。
さらに、本実施例の光学素子には、ＰＣ部２０１と支持部２０２の境界面に対して、図６のように支持部２０２の上下端に電極４０１、４０２が作製される。電極はゾル−ゲル法を用いて作製する。支持部２０２は圧電素子で構成されているため、電極４０１、４０２に電圧を印加すると、支持部２０２を変形させることができる。本実施例では、支持部２０２は駆動ドライバ５０１から入力された電圧信号を受けて、ＰＣ部２０１と支持部２０２の境界面に対して面方向に伸縮する。ＰＣ部２０１は、支持部２０２と一体化しているため、支持部２０２の伸縮を受けてその形状を変化させることができる。
【００３０】
　この構成で、図７のようにＰＣ部２０１と支持部２０２の境界面に対して平行な方向より光を入射した状態で、駆動ドライバ５０１を用いて、支持部２０２をＰＣ部２０１との境界面に対して面方向に伸縮させ、入射光の波長を抑制するようにフォトニックバンド構造を調整したところ、効率よく入射光を反射できることを確認した。
【図面の簡単な説明】
【００３１】
【図１】本発明の第１の実施の形態における光学素子を説明する図。
【図２】本発明の第２の実施の形態における光学素子を説明する図。
【図３】本発明の実施例１における光学素子を説明する図。
【図４】本発明の実施例１における光学素子の別の構成を説明する図。
【図５】本発明の実施例２における光学素子を説明する図。
【図６】本発明の実施例２における光学素子の別の構成を説明する図。
【図７】本発明の実施例の光学素子を適用したミラーの構成例を示す図。
【図８】従来例を説明する図。
【図９】本発明の光学素子の変形例を示す図。
【符号の説明】
【００３２】
　１０１：フォトニック結晶（ＰＣ）
　１０２：基板
　２０１：フォトニック結晶部（ＰＣ部）
　２０２：支持部
　３０１，３０２，４０１，４０２：電極
　５０１：駆動ドライバ
　６０１：支持部材
　６０２：ＰＣ（フォトニック結晶）
　６０３：圧電素子
【図１】
2004145314.tif 000003
【図２】
2004145314.tif 000004
【図３】
2004145314.tif 000005
【図４】
2004145314.tif 000006
【図５】
2004145314.tif 000007
【図６】
2004145314.tif 000008
【図７】
2004145314.tif 000009
【図８】
2004145314.tif 000010
【図９】
2004145314.tif 000011